【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
画像検索に基づく検索結果として検索された画像に関連付けて登録されている連携情報を提供する画像検索機能を有する画像検索システムと、前記画像検索機能を利用する複数のアプリケーションプログラムから所望のアプリケーションプログラムをインストール可能な端末装置と、がネットワークを介して通信するネットワークシステムであって、
前記画像検索システムは、
画像検索のための画像の索引データを記憶するための記憶領域を複数管理する管理手段と、
前記管理手段により管理される複数の記憶領域の少なくとも何れかの記憶領域に対して、前記索引データを格納する格納手段と、
前記端末装置からの検索要求に応じて、当該端末装置から送信された撮像画像に基づき前記記憶領域に格納された前記索引データを検索して検索結果を応答する検索手段と、
を有し、
同一の商品を販売する販売者のうち特定の販売者により提供される前記アプリケーションプログラムは、
前記画像検索機能を利用して前記画像検索システムに画像検索を実行させる際に前記複数の記憶領域のうち何れの記憶領域を使用して検索を行うかの特定に用いるパラメータを含み、
当該アプリケーションプログラムが前記端末装置にインストールされ、当該アプリケーションプログラムに従い当該端末装置が動作することにより、当該端末装置から前記画像検索機能を利用して、前記パラメータに基づき特定された記憶領域に格納される前記索引データを対象にし、検索された画像に関連付く連携情報をユーザに提供する提供手段として当該端末装置を機能させる
ネットワークシステム。
【請求項２】
画像検索に基づく検索結果として検索された画像に関連付けて登録されている連携情報を提供する画像検索機能を有する画像検索システムと、前記画像検索機能を利用する複数のアプリケーションプログラムから所望のアプリケーションプログラムをインストール可能な端末装置と、がネットワークを介して通信するネットワークシステムであって、
前記画像検索システムは、
画像検索のための画像の索引データを記憶するための記憶領域を複数管理する管理手段と、
前記管理手段により管理される複数の記憶領域の少なくとも何れかの記憶領域に対して、前記索引データを格納する格納手段と、
前記端末装置からの検索要求に応じて、当該端末装置から送信された撮像画像に基づき前記記憶領域に格納された前記索引データを検索して検索結果を応答する検索手段と、
を有し、
特定のプロモーションまたは告知を行う前記アプリケーションプログラムは、
前記画像検索機能を利用して前記画像検索システムに画像検索を実行させる際に前記複数の記憶領域のうち何れの記憶領域を使用して検索を行うかの特定に用いるパラメータを含み、
当該アプリケーションプログラムが前記端末装置にインストールされ、当該アプリケーションプログラムに従い当該端末装置が動作することにより、当該端末装置から前記画像検索機能を利用して、前記パラメータに基づき特定された記憶領域に格納される前記索引データを対象にし、検索された画像に関連付く連携情報をユーザに提供する提供手段として当該端末装置を機能させる
ネットワークシステム。
【請求項３】
画像検索に基づく検索結果として検索された画像に関連付けて登録されている連携情報を提供する画像検索機能を有する画像検索システムと、前記画像検索機能を利用する複数のアプリケーションプログラムから所望のアプリケーションプログラムをインストール可能な端末装置と、がネットワークを介して通信するネットワークシステムであって、
前記画像検索システムは、
画像検索のための画像の索引データを記憶するための記憶領域を複数管理する管理手段と、
前記管理手段により管理される複数の記憶領域の少なくとも何れかの記憶領域に対して、前記索引データを格納する格納手段と、
前記端末装置からの検索要求に応じて、当該端末装置から送信された撮像画像に基づき前記記憶領域に格納された前記索引データを検索して検索結果を応答する検索手段と、
を有し、
異なる提供者により提供される複数の前記アプリケーションプログラムのそれぞれは、
前記画像検索機能を利用して前記画像検索システムに画像検索を実行させる際に前記複数の記憶領域のうち何れの記憶領域を使用して検索を行うかの特定に用いるパラメータを有し、
当該アプリケーションプログラムが前記端末装置に搭載され、当該アプリケーションプログラムに従い当該端末装置が動作することにより、当該端末装置から前記画像検索機能を利用して、前記パラメータに基づき特定された記憶領域に格納される前記索引データを対象にし、検索された画像に関連付く連携情報をユーザに提供する提供手段として当該端末装置を機能させる
ネットワークシステム。
【請求項４】
前記検索手段は、
前記アプリケーションプログラムに従い動作する前記端末装置からの前記画像検索機能の利用において、当該アプリケーションプログラムが含む前記パラメータを受信した場合、当該パラメータに基づき検索の対象となる記憶領域を特定し、特定した記憶領域に格納されている前記索引データを対象に検索を実行する
請求項１乃至３の何れか１項に記載のネットワークシステム。
【請求項５】
前記検索手段は、
画像検索要求において、検索する記憶領域を特定する前記パラメータを受信しない場合、予め定められた記憶領域に格納されている前記索引データを対象に検索を実行する
請求項４に記載のネットワークシステム。
【請求項６】
前記複数のアプリケーションプログラムとは別に前記端末装置にインストールされる画像検索アプリケーションプログラムは、
当該画像検索アプリケーションに従い前記端末装置が動作することで、前記端末装置の撮像機能を利用して取得した前記撮像画像を前記画像検索システムに送信し、画像検索を要求する検索要求手段として当該端末装置を機能させ、
前記提供手段は、
前記アプリケーションプログラムと共に前記端末装置にインストールされている前記画像検索アプリケーションプログラムに対して前記パラメータを渡し、前記画像検索機能の利用を要求する
請求項１乃至５の何れか１項に記載のネットワークシステム。
【請求項７】
画像検索に基づく検索結果として検索された画像に関連付けて登録されている連携情報を提供する画像検索機能を有する画像検索システムと、前記画像検索機能を利用する複数のアプリケーションプログラムから所望のアプリケーションプログラムをインストール可能な端末装置と、がネットワークを介して通信するネットワークシステムにおける情報処理方法であって、
画像検索のための画像の索引データを記憶するための記憶領域を複数管理する管理ステップと、
前記管理ステップにより管理される複数の記憶領域の少なくとも何れかの記憶領域に対して、前記索引データを格納する格納ステップと、
前記端末装置からの検索要求に応じて、当該端末装置から送信された撮像画像に基づき前記記憶領域に格納された前記索引データを検索して検索結果を応答する検索ステップと、
同一の商品を販売する販売者のうち特定の販売者により提供される前記アプリケーションプログラムは、前記画像検索機能を利用して前記画像検索システムに画像検索を実行させる際に前記複数の記憶領域のうち何れの記憶領域を使用して検索を行うかの特定に用いるパラメータを含み、当該アプリケーションプログラムが前記端末装置にインストールされ、当該アプリケーションプログラムに従い当該端末装置が動作することにより、当該端末装置から前記画像検索機能を利用して、前記パラメータに基づき特定された記憶領域に格納される前記索引データを対象にし、検索された画像に関連付く連携情報をユーザに提供する提供ステップと、
を有する
情報処理方法。
【請求項８】
画像検索に基づく検索結果として検索された画像に関連付けて登録されている連携情報を提供する画像検索機能を有する画像検索システムと、前記画像検索機能を利用する複数のアプリケーションプログラムから所望のアプリケーションプログラムをインストール可能な端末装置と、がネットワークを介して通信するネットワークシステムにおける情報処理方法であって、
画像検索のための画像の索引データを記憶するための記憶領域を複数管理する管理ステップと、
前記管理ステップにより管理される複数の記憶領域の少なくとも何れかの記憶領域に対して、前記索引データを格納する格納ステップと、
前記端末装置からの検索要求に応じて、当該端末装置から送信された撮像画像に基づき前記記憶領域に格納された前記索引データを検索して検索結果を応答する検索ステップと、
特定のプロモーションまたは告知を行う前記アプリケーションプログラムは、前記画像検索機能を利用して前記画像検索システムに画像検索を実行させる際に前記複数の記憶領域のうち何れの記憶領域を使用して検索を行うかの特定に用いるパラメータを含み、当該アプリケーションプログラムが前記端末装置にインストールされ、当該アプリケーションプログラムに従い当該端末装置が動作することにより、当該端末装置から前記画像検索機能を利用して、前記パラメータに基づき特定された記憶領域に格納される前記索引データを対象にし、検索された画像に関連付く連携情報をユーザに提供する提供ステップと、
を有する
情報処理方法。
【請求項９】
画像検索に基づく検索結果として検索された画像に関連付けて登録されている連携情報を提供する画像検索機能を有する画像検索システムと、前記画像検索機能を利用する複数のアプリケーションプログラムから所望のアプリケーションプログラムをインストール可能な端末装置と、がネットワークを介して通信するネットワークシステムにおける情報処理方法であって、
画像検索のための画像の索引データを記憶するための記憶領域を複数管理する管理ステップと、
前記管理ステップにより管理される複数の記憶領域の少なくとも何れかの記憶領域に対して、前記索引データを格納する格納ステップと、
前記端末装置からの検索要求に応じて、当該端末装置から送信された撮像画像に基づき前記記憶領域に格納された前記索引データを検索して検索結果を応答する検索ステップと、
異なる提供者により提供される複数の前記アプリケーションプログラムのそれぞれは、前記画像検索機能を利用して前記画像検索システムに画像検索を実行させる際に前記複数の記憶領域のうち何れの記憶領域を使用して検索を行うかの特定に用いるパラメータを含み、当該アプリケーションプログラムが前記端末装置にインストールされ、当該アプリケーションプログラムに従い当該端末装置が動作することにより、当該端末装置から前記画像検索機能を利用して、前記パラメータに基づき特定された記憶領域に格納される前記索引データを対象にし、検索された画像に関連付く連携情報をユーザに提供する提供ステップと、
を有する
情報処理方法。
【請求項１０】
前記検索ステップは、
前記アプリケーションプログラムに従い動作する前記端末装置からの前記画像検索機能の利用において、当該アプリケーションプログラムが含む前記パラメータを受信した場合、当該パラメータに基づき検索の対象となる記憶領域を特定し、特定した記憶領域に格納されている前記索引データを対象に検索を実行する
請求項７乃至９の何れか１項に記載の情報処理方法。
【請求項１１】
前記検索ステップは、
画像検索要求において、検索する記憶領域を特定する前記パラメータを受信しない場合、予め定められた記憶領域に格納されている前記索引データを対象に検索を実行する
請求項１０に記載の情報処理方法。
【請求項１２】
前記複数のアプリケーションプログラムとは別に前記端末装置にインストールされる画像検索アプリケーションプログラムに従い当該端末装置が動作することで、当該端末装置が当該端末装置の撮像機能を利用して取得した前記撮像画像を前記画像検索システムに送信し、画像検索を要求する検索要求ステップ
をさらに有し、
前記提供ステップは、
前記アプリケーションプログラムと共に前記端末装置にインストールされている前記画像検索アプリケーションプログラムに対して前記パラメータを渡し、前記画像検索機能の利用を要求する
請求項７乃至１１の何れか１項に記載の情報処理方法。
【手続補正２】
【補正対象書類名】明細書
【補正対象項目名】発明の名称
【補正方法】変更
【補正の内容】
【発明の名称】ネットワークシステムおよび情報処理方法
【手続補正３】
【補正対象書類名】明細書
【補正対象項目名】０００１
【補正方法】変更
【補正の内容】
【０００１】
本発明は、ネットワークシステムおよび情報処理方法に関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
ところが、イベントアプリケーションが多数存在するようになれば、各イベントアプリケーションは、撮像送信アプリケーションの機能を利用して所望の結果を得られなくなる可能性がある。例えば、同種の複数のイベントがある場合、これら複数のイベントに対応する各イベントアプリケーションにおいて、それぞれ同じ商品を扱った画像を利用することが考えられる。すると、複数のイベントのうちあるイベントに対応するイベントアプリケーションを利用するユーザが、そのイベントに特有のコンテンツを取得できないという事態が発生するおそれがある。
【手続補正６】
【補正対象書類名】明細書
【補正対象項目名】０００９
【補正方法】変更
【補正の内容】
【０００９】
本発明は、上記に鑑みてなされたもので、アプリケーションから利用される画像検索機能を、そのアプリケーションの目的に応じて適切に実行可能とすることを目的とする。
【手続補正７】
【補正対象書類名】明細書
【補正対象項目名】００１０
【補正方法】変更
【補正の内容】
【００１０】
上述した課題を解決し、目的を達成するために、第１の発明は、画像検索に基づく検索結果として検索された画像に関連付けて登録されている連携情報を提供する画像検索機能を有する画像検索システムと、画像検索機能を利用する複数のアプリケーションプログラムから所望のアプリケーションプログラムを搭載可能な端末装置と、がネットワークを介して通信するネットワークシステムであって、画像検索システムは、画像検索のための画像の索引データを記憶するための記憶領域を複数管理する管理手段と、管理手段により管理される複数の記憶領域の少なくとも何れかの記憶領域に対して、索引データを格納する格納手段と、端末装置からの検索要求に応じて、端末装置から送信された撮像画像に基づき記憶領域に格納された索引データを検索して検索結果を応答する検索手段と、を有し、同一の商品を販売する販売者のうち特定の販売者により提供されるアプリケーションプログラムは、画像検索機能を利用して画像検索システムに画像検索を実行させる際に複数の記憶領域のうち何れの記憶領域を使用して検索を行うかの特定に用いるパラメータを含み、アプリケーションプログラムが端末装置にインストールされ、アプリケーションプログラムに従い端末装置が動作することにより、端末装置から画像検索機能を利用して、パラメータに基づき特定された記憶領域に格納される索引データを対象にし、検索された画像に関連付く連携情報をユーザに提供する提供手段として端末装置を機能させる。
第２の発明は、画像検索に基づく検索結果として検索された画像に関連付けて登録されている連携情報を提供する画像検索機能を有する画像検索システムと、画像検索機能を利用する複数のアプリケーションプログラムから所望のアプリケーションプログラムをインストール可能な端末装置と、がネットワークを介して通信するネットワークシステムであって、画像検索システムは、画像検索のための画像の索引データを記憶するための記憶領域を複数管理する管理手段と、管理手段により管理される複数の記憶領域の少なくとも何れかの記憶領域に対して、索引データを格納する格納手段と、端末装置からの検索要求に応じて、端末装置から送信された撮像画像に基づき記憶領域に格納された索引データを検索して検索結果を応答する検索手段と、を有し、特定のプロモーションまたは告知を行うアプリケーションプログラムは、画像検索機能を利用して画像検索システムに画像検索を実行させる際に複数の記憶領域のうち何れの記憶領域を使用して検索を行うかの特定に用いるパラメータを含み、アプリケーションプログラムが端末装置にインストールされ、アプリケーションプログラムに従い端末装置が動作することにより、端末装置から画像検索機能を利用して、パラメータに基づき特定された記憶領域に格納される索引データを対象にし、検索された画像に関連付く連携情報をユーザに提供する提供手段として端末装置を機能させる。
また、第３の発明は、画像検索に基づく検索結果として検索された画像に関連付けて登録されている連携情報を提供する画像検索機能を有する画像検索システムと、画像検索機能を利用する複数のアプリケーションプログラムから所望のアプリケーションプログラムをインストール可能な端末装置と、がネットワークを介して通信するネットワークシステムであって、画像検索システムは、画像検索のための画像の索引データを記憶するための記憶領域を複数管理する管理手段と、管理手段により管理される複数の記憶領域の少なくとも何れかの記憶領域に対して、索引データを格納する格納手段と、端末装置からの検索要求に応じて、端末装置から送信された撮像画像に基づき記憶領域に格納された索引データを検索して検索結果を応答する検索手段と、を有し、異なる提供者により提供される複数のアプリケーションプログラムのそれぞれは、画像検索機能を利用して画像検索システムに画像検索を実行させる際に複数の記憶領域のうち何れの記憶領域を使用して検索を行うかの特定に用いるパラメータを有し、アプリケーションプログラムが端末装置に搭載され、アプリケーションプログラムに従い端末装置が動作することにより、端末装置から画像検索機能を利用して、パラメータに基づき特定された記憶領域に格納される索引データを対象にし、検索された画像に関連付く連携情報をユーザに提供する提供手段として端末装置を機能させる。
【手続補正８】
【補正対象書類名】明細書
【補正対象項目名】００１１
【補正方法】変更
【補正の内容】
【００１１】
本発明によれば、アプリケーションから利用される画像検索機能を、そのアプリケーションの目的に応じて適切に実行可能となるという効果を奏する。
【手続補正９】
【補正対象書類名】明細書
【補正対象項目名】００１３
【補正方法】変更
【補正の内容】
【００１３】
以下に添付図面を参照して、ネットワークシステムおよび情報処理方法の実施形態を詳細に説明する。